(57)【要約】  【課題】  所定の情報を記憶する記憶手段が設けられたインク容器において、インク容器本体からの記憶手段の取り外しを容易にする。  【解決手段】  インク容器本体１０の上端面１０ａの一部にメモリ設置部１０ｂとして凹部を形成し、このメモリ設置部１０ｂにリブ１２を形成し、このリブ１２を介して記憶手段２０をインク容器本体１０に接着する。【選択図】          図１
2004262235.tif 000002
【特許請求の範囲】
【請求項１】
所定の情報を記憶する記憶手段が設けられたインク容器において、
前記記憶手段が前記インク容器の一部の面に接着されるものであり、
前記記憶手段と前記インク容器との接着面の面積が、前記記憶手段の前記一部の面に対向する面の面積の９０％以下であることを特徴とするインク容器。
【請求項２】
前記記憶手段は粘着剤を介して前記インク容器に接着されるものであり、
前記粘着剤の接着力が２０Ｎ/２５ｍｍであるとともに、
前記記憶手段と前記インク容器との接着面の面積が、前記記憶手段の前記一部の面に対向する面の面積の３０％以上９０％以下であることを特徴とする請求項１記載のインク容器。
【請求項３】
前記記憶手段の前記一部の面に対向する面の外縁部の一部または全部が前記接着面でないこと特徴とする請求項１または２記載のインク容器。
【請求項４】
所定の情報を記憶する記憶手段が設けられたインク容器において、
前記記憶手段が、前記インク容器の一部の面に、前記記憶手段の前記一部の面に対向する面の面積より小さい接着面積を有する凸部を介して接着されていることを特徴とするインク容器。
【請求項５】
前記凸部が、所定の間隔を空けて形成された複数のリブであることを特徴とする請求項４記載のインク容器。
【請求項６】
前記凸部が、点状の複数の凸部であることを特徴とする請求項４記載のインク容器。
【請求項７】
前記凸部が、前記記憶手段の前記一部の面に対向する面の外縁部の一部または全部に対向する位置に存在しないことを特徴とする請求項４から６いずれか１項記載のインク容器。
【請求項８】
前記凸部の先端がＲ形状を有することを特徴とする請求項４から７いずれか１項記載のインク容器。
【請求項９】
所定の情報を記憶する記憶手段が設けられたインク容器において、
前記記憶手段が、前記インク容器に着脱可能な部材を介して前記インク容器に設けられていることを特徴とするインク容器。
【発明の詳細な説明】
【技術分野】
【０００１】
本発明は、所定の情報を記憶する記憶手段が設けられたインク容器に関するものである。
【背景技術】
【０００２】
従来より、孔版印刷装置などにおいて、取り扱いが容易などの理由により、孔版印刷装置などに着脱可能な構造を有するインク容器が利用されている。上記インク容器は、そのインク容器内のインクが全て使用されて空になった際には、廃棄もしくはリサイクルなどに使用されるため取り外され、そして、再び新しいインク容器が装着されて使用される。
【０００３】
ここで、上記のようなインク容器において、たとえば、特許文献１には、メモリＩＣなどの記憶手段が設けられ、そのメモリＩＣに孔版印刷装置などにおけるインクの消耗量や使用日時などを記憶するインク容器が提案されている。上記のようにメモリＩＣに記憶された使用日時および消費量を読み出すことにより、孔版印刷装置などの使用状況を情報として得、これを利用することができる。
【０００４】
また、特許文献２においても、上記と同様に、メモリＩＣなどの記憶手段が設けられたインク容器が提案されている。特許文献２に記載のインク容器のメモリＩＣにはインクの粘度や色情報が記憶され、その粘度や色情報を利用して印刷時にプレス圧を制御する方法が提案されている。また、メモリＩＣにインクの残量を記憶し、インクの残量が少なくなった際には警告表示をする方法も提案されている。
【０００５】
【特許文献１】特開平１０−１３３５２９号公報
【特許文献２】特開２００１−１８５０７号公報
【発明の開示】
【発明が解決しようとする課題】
【０００６】
しかしながら、たとえば、特許文献１に記載のインク容器は、上記記憶手段がインク容器本体に埋設されて構成されたものであるため、空になったインク容器を廃棄したり、またはリサイクルに利用する際、インク容器本体から記憶手段を取り外すことが困難であり、インク容器本体と記憶手段とを分別することが困難である。また、特許文献２に記載のインク容器は、メモリＩＣを載置した基板を直接インク容器に接着したものであるが、その接着状態によってはやはり取り外すことが困難であり、無理に取り外そうとするとメモリＩＣを破損する虞があった。
【０００７】
本発明は、上記のような事情に鑑み、所定の情報を記憶する記憶手段が設けられたインク容器において、そのインク容器内のインクを使用し終えた際に上記記憶手段をインク容器本体から容易に取り外すことができるインク容器を提供することを目的とするものである。
【課題を解決するための手段】
【０００８】
本発明の第１のインク容器は、所定の情報を記憶する記憶手段が設けられたインク容器において、記憶手段がインク容器の一部の面に接着されるものであり、記憶手段とインク容器との接着面の面積が、記憶手段の一部の面に対向する面の面積の９０％以下であることを特徴とする。
【０００９】
ここで、上記「記憶手段」とは、その記憶された所定の情報が外部の装置より読取り可能、または読取りおよび書込み可能なものであれば如何なるものでもよい。
【００１０】
また、上記第１のインク容器においては、記憶手段を粘着剤を介してインク容器に接着し、粘着剤の接着力を２０Ｎ/２５ｍｍとするとともに、記憶手段とインク容器との接着面の面積を、記憶手段の上記一部の面に対向する面の面積の３０％以上９０％以下とすることができる。
【００１１】
また、記憶手段の上記一部の面に対向する面の外縁部の一部または全部を接着面としないようにすることができる。
【００１２】
本発明の第２のインク容器は、所定の情報を記憶する記憶手段が設けられたインク容器において、記憶手段が、インク容器の一部の面に、記憶手段の上記一部の面に対向する面の面積より小さい接着面積を有する凸部を介して接着されていることを特徴とする。
【００１３】
ここで、上記「凸部」は、たとえば、上記記憶手段と一体として形成するようにしてもよいし、上記一部の面と一体として形成するようにしてもよいし、上記記憶手段および上記一部の面とは別の部材として形成するようにしてもよい。
【００１４】
また、上記第２のインク容器においては、凸部を、所定の間隔を空けて形成された複数のリブとすることができる。
【００１５】
また、凸部を、点状の複数の凸部とすることができる。
【００１６】
また、凸部が、記憶手段の上記一部の面に対向する面の外縁部の一部または全部に対向する位置に存在しないようにすることができる。
【００１７】
また、凸部の先端がＲ形状を有するようにすることができる。
【００１８】
ここで、上記「凸部の先端がＲ形状を有するようにする」とは、たとえば、凸部がリブである場合には、そのリブの断面形状をＲ形状とすること、凸部が点状のものである場合には、その先端の形状をＲ形状または半球形状とすること、または凸部を球状にすることなどをいい、凸部の先端の一部がＲ形状であれば如何なる形状を採用してもよい。
【００１９】
また、本発明の第３のインク容器は、所定の情報を記憶する記憶手段が設けられたインク容器において、記憶手段が、インク容器に着脱可能な部材を介してインク容器に設けられていることを特徴とする。
【発明の効果】
【００２０】
本発明の第１のインク容器によれば、記憶手段をインク容器の一部の面に接着するとともに、記憶手段とインク容器との接着面の面積が、記憶手段の一部の面に対向する面の面積の９０％以下となるようにしたので、インク容器のインクを使用し終えた際、記憶手段をインク容器本体から容易に取り外すことができ、記憶手段とインク容器本体とを容易に分別することができる。
【００２１】
また、上記第１のインク容器において、記憶手段を粘着剤を介してインク容器に接着し、粘着剤の接着力を２０Ｎ/２５ｍｍとするとともに、記憶手段とインク容器との接着面の面積を、記憶手段の上記一部の面に対向する面の面積の３０％以上９０％以下とした場合には、上記のように接着面積率を規定することにより、記憶手段を無理に剥がそうとして破損させてしまうことを防止することができる。また、記憶手段が衝撃などで簡単に剥がれてしまい、孔版印刷装置などとの情報通信に支障をきたすことを防止することができる。
【００２２】
また、記憶手段の上記一部の面に対向する面の外縁部の一部または全部を接着面としないようにした場合には、記憶手段をインク容器から取り外す際、記憶手段の外縁部から所定の部材を挿入して記憶手段をインク容器本体から取り外すことができるので、より容易に記憶手段をインク容器本体から取り外すことができる。
【００２３】
本発明の第２のインク容器によれば、記憶手段が、インク容器の一部の面に、記憶手段の上記一部の面に対向する面の面積より小さい接着面積を有する凸部を介して接着されるようにしたので、上記第１のインク容器と同様に、インク容器のインクを使用し終えた際、記憶手段をインク容器本体から容易に取り外すことができ、記憶手段とインク容器本体とを容易に分別することができる。
【００２４】
また、上記第２のインク容器においては、凸部を、所定の間隔を空けて形成された複数のリブ、または点状の複数の凸部とした場合には、記憶手段をインク容器本体に安定した位置に固定することができるとともに、記憶手段をインク容器本体から容易に取り外すことができる。
【００２５】
また、凸部が、記憶手段の上記一部の面に対向する面の外縁部の一部または全部に対向する位置に存在しないようにした場合には、記憶手段をインク容器本体から取り外す際、記憶手段の外縁部から所定の部材を挿入して記憶手段をインク容器本体から取り外すことができるので、より容易に記憶手段をインク容器本体から取り外すことができる。
【００２６】
また、凸部の先端がＲ形状を有するようにした場合には、記憶手段のインク容器本体からの取り外しをより容易にすることができる。
【００２７】
また、本発明の第３のインク容器によれば、記憶手段が、インク容器に着脱可能な部材を介してインク容器に設けられているようにしたので、上記第１および第２のインク容器と同様に、インク容器のインクを使用し終えた際、記憶手段をインク容器本体から容易に取り外すことができ、記憶手段とインク容器本体とを容易に分別することができる。
【発明を実施するための最良の形態】
【００２８】
以下、図面を参照しながら本発明のインク容器の一実施形態について説明する。図１は本インク容器の斜視図である。
【００２９】
本インク容器１は、図１に示すように、略円筒状の樹脂からなるインク容器本体１０と記憶手段２０とから構成されるものである。そして、インク容器本体１０の上端面１０ａ側には、インク容器本体１０内に収容されたインクが吐出される吐出口１１が設けられている。また、インク容器本体１０の上端面１０ａ上の一部には、所定の情報を記憶する記憶手段２０が設けられるメモリ設置部１０ｂが形成されている。なお、記憶手段２０としては、たとえば、メモリＩＣが積載された基板を利用することができるが、これに限らず、バーコードが記載されたものや、その他文字や記号などが記載されたものを利用するようにしてもよい。
【００３０】
図２にインク容器１を上端面１０ａ側から見た上面図、図３に図２における３−３線断面図を示す。図２に示すように、メモリ設置部１０ｂは上端面１０ａの一部に形成され、図３に示すように、上端面１０ａに凹部を形成することにより設けられている。そして、メモリ設置部１０ｂにはリブ１２が形成されており、記憶手段２０はリブ１２上に設置され、リブ１２との接触面において接着されている。
【００３１】
本実施形態のインク容器１によれば、上記のように記憶手段２０を、メモリ設置部１０ｂに形成されたリブ１２を介して接着するようにしたので、インク容器１のインクを使用し終えた際、記憶手段２０をインク容器本体１０から容易に取り外すことができ、記憶手段２０とインク容器本体１０とを容易に分別することができる。
【００３２】
また、図４に記憶手段２０を取り外した場合におけるインク容器１の上端面１０ａ側からみた上面図を示す。図４に示すように、記憶手段２０の外縁の一部に対向した位置にはリブ１２は形成しないようにしている。
【００３３】
上記のようにリブ１２を形成すれば、記憶手段２０をインク容器本体１０から取り外す際、記憶手段２０の外縁部から所定の部材を挿入して記憶手段２０をインク容器本体１０から取り外すことができるので、より容易に記憶手段２０をインク容器本体１０から取り外すことができる。また、図４に示すように、リブ１２を、上記部材が挿入される矢印Ａ方向に延設するように形成すれば、たとえば、リブ１２を矢印Ａ方向に対して略直角となる方向に延設するように形成する場合と比較すると、記憶手段２０の取り外し性をさらに向上することができる。
【００３４】
また、メモリ設置部１０ｂに形成するリブ１２の形状は、図５に示すように、その断面形状がＲ形状となるようにしてもよい。
【００３５】
また、図６に示すように、メモリ設置部１０ｂにリブ部１２ａと平面部１２ｂとを形成し、リブ部１２ａおよび平面部１２ｂと記憶手段２０との接触面で接着するようにしてもよい。図７に図６の７−７線断面図を示す。図７に示すように、リブ部１２ａと平面部１２ｂとは同じ高さで形成されている。
【００３６】
また、上記実施形態のインク容器１においては、メモリ設置部１０ｂにリブ１２を形成するようにしたが、図８に示すように、メモリ設置部１０ｂに点状の多数の凸部１３を形成し、この凸部１３上に記憶手段２０を設置し、凸部１３との接触面において接着するようにしてもよい。また、上記のようにメモリ設置部１０ｂに凸部１３を形成する場合においても、その先端の形状がＲ形状または半球形状となるようにしてもよい。また、上記のようにメモリ設置部１０ｂに凸部１３を形成する場合においても、図８に示すように、記憶手段２０の外縁の一部に対向した位置には凸部１３を形成しないようにしてもよい。
【００３７】
また、上記のようにメモリ設置部１０ｂにリブ１２や凸部１３を形成することなく粘着剤などにより記憶手段２０をメモリ設置部１０ｂに直接接着するようにしてもよい。ただし、メモリ設置部１０ｂと記憶手段２０との接着面の面積が、記憶手段２０の面２０ａ（図３参照）の面積の９０％以下となるようにすべきである。
【００３８】
また、上記のように記憶手段２０を粘着剤により直接メモリ設置部１０ｂに接着する場合においても、記憶手段２０の外縁の一部または全部は接着面とならないようすることが望ましい。
【００３９】
ここで、記憶手段２０とインク容器１との接着面の面積は、記憶手段２０のインク容器１側の面２０ａの面積の３０％以上９０％以下にすることが望ましいことを示す実験結果を以下に説明する。
【００４０】
まず、記憶手段２０とインク容器１との接着面の面積を、記憶手段２０のインク容器１側の面２０ａの面積の２０％〜１００％にした場合における剥離強度を測定した。測定器はＳＨＩＭＡＤＺＵ  ＡＧＳ５００Ｄ（ロードセルは５０Ｎ用）を用い、記憶手段２０をインク容器２に水平に接着した状態から剥離する、いわゆる１８０°剥離を行って剥離強度の測定を行った。測定条件は剥離速度３００ｍｍ／ｍｉｎ、試験環境温度２３℃・５０％ＲＨである。そして、上記のような条件で測定された剥離強度でインク容器１に接着している記憶手段２０の剥がれやすさを評価した結果を表１に示す。
【表１】
2004262235.tif 000003
【００４１】
表１に示す結果より、記憶手段２０をインク容器１から容易に剥がすことができ、かつ記憶手段２０が衝撃などでインク容器１から簡単に剥がれないようにするには、接着面積率（記憶手段２０のインク容器１側の面２０ａの面積に対する接着面の面積の割合）を３０％以上９０％以下にすることが望ましい。なお、上記剥離強度の測定および剥がれやすさの評価のために用いた記憶手段２０は、図９に示すような大きさのものであり、剥離強度は記憶手段２０を完全に剥がし切る際の最大剥離強度のことである。また、記憶手段２０に用いる粘着剤の接着力は２０Ｎ/２５ｍｍである。なお、上記接着力はポリプロピレンに対する接着力であり、接着力の測定においては、粘着剤はアクリル系のものを使用し、測定条件は剥離速度３００ｍｍ/ｍｉｎ、試験環境温度２３℃・５０％ＲＨである。
【００４２】
また、図１０（ａ）に示すように、インク容器本体１０の上端面１０ａに溝１４および突起部１５を形成するとともに、図１０（ｂ）に示すように、記憶手段２０が設置され、インク容器本体１０の上端面１０ａに着脱可能なメモリ設置部材３０を形成し、メモリ設置部材３０をインク容器本体１０の上端面１０ａに取り付けることにより記憶手段２０をインク容器１に設けるようにしてもよい。メモリ設置部材３０は、具体的には、図１０（ｂ）に示すように、インク容器本体１０の上端面１０ａの形状に合わせて形成された樹脂板３０aに、上記溝１４に嵌合するよう形成された第１固定部３０ｂと上記突起部１５に嵌合するよう形成された第２固定部３０ｃとを設けたものであり、溝１４に第１固定部３０ｂが嵌合するとともに、突起部１５に第２固定部３０ｃが嵌合することによりインク容器本体１０の上端面１０ａに固定されて設置されるものである。なお、第２固定部３０ｂはある程度柔軟性をもった材質で形成されており、突起部１５に嵌合させる際には、多少折り曲げられた形になるものとする。
【００４３】
また、メモリ設置部材４０として、図１１に示すような、ドーナツ状の円板を形成し、その内側の面４０ａにリブ４０ｂを形成し、そのリブ４０ｂ上に記憶手段２０を設置し、この記憶手段２０の設置されたメモリ設置部材４０をインク容器本体１０に着脱可能に設けるようにしてもよい。図１２（ａ）は、図１１に示すメモリ設置部材４０を矢印Ｂ方向から見た図である。また、図１２（ｂ）は、図１１に示すメモリ設置部材４０に記憶手段２０を設置してインク容器本体１０に設置した場合におけるｂ−ｂ線断面図である。図１２（ｂ）に示すように、インク容器本体１０のメモリ設置部材４０が嵌合する部分１６には凹部が形成され、この凹部にメモリ設置部材４０に形成された凸部４０ｃが嵌合することによりメモリ設置部材４０がインク容器本体１０に着脱可能に設けられる。また、上記のような構成に限らず、たとえば、メモリ設置部材４０とインク容器本体１０とのそれぞれにネジ山を形成することによりメモリ設置部材４０がインク容器本体１０に対して着脱可能となるようにしてもよい。また、メモリ設置部材の形状については、上記のような形状に限らず、インク容器本体１０に着脱可能な形状であれば如何なる形状を採用してもよい。
【００４４】
また、上記実施形態においては、メモリ設置部１０ｂをインク容器本体１０の上端面１０ａに設けるようにしたが、これに限らず、インク容器本体１０の一部の面であれば如何なる場所に設けるようにしてもよい。
【００４５】
また、上記実施形態においては、インク容器１の形状を略円筒状のものとしたが、これに限らず、その他の形状を採用してもよい。
【図面の簡単な説明】
【００４６】
【図１】本発明のインク容器の一実施形態の斜視図
【図２】図１に示すインク容器の上面図
【図３】図１に示すインク容器の一部断面図
【図４】図１に示すインク容器のインク容器本体の上面図
【図５】本発明のインク容器のその他の実施形態を示す図
【図６】本発明のインク容器のその他の実施形態を示す図
【図７】図６に示すインク容器の一部断面図
【図８】本発明のインク容器のその他の実施形態を示す図
【図９】剥がれやすさの評価を行う際に用いた記憶手段の平面図
【図１０】本発明のインク容器のその他の実施形態を示す図
【図１１】本発明のインク容器のメモリ設置部材のその他の実施形態を示す図
【図１２】図１１に示すメモリ設置部材の上面図および断面図を示す図
【符号の説明】
【００４７】
１    インク容器
１０    インク容器本体
１１    吐出口
１２    リブ
１３    凸部
１４    溝
１５    突起部
２０    記憶手段
３０，４０    メモリ設置部材
【図１】
2004262235.tif 000004
【図２】
2004262235.tif 000005
【図３】
2004262235.tif 000006
【図４】
2004262235.tif 000007
【図５】
2004262235.tif 000008
【図６】
2004262235.tif 000009
【図７】
2004262235.tif 000010
【図８】
2004262235.tif 000011
【図９】
2004262235.tif 000012
【図１０】
2004262235.tif 000013
【図１１】
2004262235.tif 000014
【図１２】
2004262235.tif 000015